(57)【要約】      （修正有）【課題】表示体に発光体を配設すると共に、振子を揺動せしめつつ軸を介して駆動コイルと同一電源でもって発光せしめ、表示体を電飾せしめて非常に印象的な動作を得ることが出来る、振子式表示装置を提供するものである。【解決手段】フレ−ム１内に軸３を介して振子２が揺動自在に支承され、該振子２の上端部には表示体７が、同下端部には永久磁石６が取付けられ、かつ、該永久磁石６に対応すべくその下方に駆動コイル１４が配設されてなり、上記駆動コイル１４を励磁せしめつつ永久磁石６との電磁力により振子２を揺動せしめるべく構成されてなる振子式表示装置であって、上記表示体７には所要の発光体８が配設されると共に、該発光体８を同一電源でもって発光せしめるべく軸３を介して電極線材９ａ・９ｂ・１６ａ・１６ｂが通電自在に配設されている。【選択図】図３
2008180755.tif 000002
【特許請求の範囲】
【請求項１】
所要のフレ−ム内に軸を介して振子が揺動自在に支承され、該振子の上端部には表示体
が取付けられると共に、同下端部には永久磁石が取付けられ、かつ、該永久磁石に対応す
べくその下方に駆動コイルが配設されてなり、上記駆動コイルを励磁せしめつつ永久磁石
との電磁力により振子を揺動せしめるべく構成されてなる振子式表示装置において、上記
表示体には所要の発光体が配設されると共に、該発光体を同一電源でもって発光せしめる
べく軸を介して電極線材が通電自在に配設されてなることを特徴とする、振子式表示装置
。
【請求項２】
上記軸が両側一対の導電性軸部材により形成され、該両側の軸部材は振子の振り竿を介
在せしめつつ不導性連結部材でもって連結されると共に、各軸部材には各々電極線材が通
電自在に接触せしめられてなることを特徴とする、請求項１記載の振子式表示装置。
【請求項３】
請求項１記載の振子式表示装置において、表示体が振子の振り竿に沿って上下に摺動自
在に嵌合され、該振り竿の外側面にはその長手方向に沿って電極線材が配設されると共に、該電極線材に各々通電自在に接触せしめるべく表示体の摺動内面には電極線材が配設されてなることを特徴とする、振子式表示装置。
【発明の詳細な説明】
【技術分野】
【０００１】
本発明は、広告やディスプレイ、あるいは玩具などに用いられる振子式表示装置に関す
る。
【背景技術】
【０００２】
従来より、この種の振子式表示装置としては、所要のフレ−ム内に軸を介して振子が揺
動自在に支承され、該振子の上端部には所要の表示体が、同下端部には永久磁石が各々取
付けられると共に、該永久磁石に対応すべくその下方に駆動コイルが配設されたものが知
られている。
そして、上述の如く構成された振子式表示装置は、駆動コイルに通電して励磁せしめ、
永久磁石との電磁力により振子を所定の振幅でもって慣性的に揺動せしめつつ、これに連
動して表示体を同期に揺動せしめるものとされている。
【特許文献１】特開平７−７２８１２号公報
【特許文献２】特開２００６−７１８８５号公報
【発明の開示】
【発明が解決しようとする課題】
【０００３】
ところで、上述の如く構成された従来の振子式表示装置は、表示体を確実に所定の振幅
でもって同期等速に揺動せしめ、表示機能を有効に発揮せしめることが出来るものである
。しかしながら、かかる表示体には何等の電飾手段が施されていないものである。このた
め、見た目の面白さや美しさ等に乏しく、装飾性の点において印象的な動作が得られない
ものとなっていた。
なお、上記従来の問題点を解決せしめるべく、表示体に発光体などの電飾手段を設ける
ことが考えられるが、揺動する振子を介して駆動コイルと同一電源でもって発光せしめる
ことは非常に困難なものとされていた。     
【０００４】
本発明は、上記従来の課題を解決しようとするもので、表示体に発光体を配設すると共
に、振子を揺動せしめつつ軸を介して駆動コイルと同一電源でもって発光せしめ、表示体
を電飾せしめて非常に印象的な動作を得ることが出来る、振子式表示装置を提供するにあ
る。  
【課題を解決するための手段】
【０００５】
上記の目的を達成するため、請求項１記載の発明は、所要のフレ−ム内に軸を介して振
子が揺動自在に支承され、該振子の上端部には表示体が取付けられると共に、同下端部に
は永久磁石が取付けられ、かつ、該永久磁石に対応すべくその下方に駆動コイルが配設さ
れてなり、上記駆動コイルを励磁せしめつつ永久磁石との電磁力により振子を揺動せしめ
るべく構成されてなる振子式表示装置において、上記表示体には所要の発光体が配設され
ると共に、該発光体を同一電源でもって発光せしめるべく軸を介して電極線材が通電自在
に配設されてなることを特徴とする、振子式表示装置を要旨とするものである。
【０００６】
請求項２記載の発明は、上記軸が両側一対の導電性軸部材により形成され、該両側の軸
部材は振子の振り竿を介在せしめつつ不導性連結部材でもって連結されると共に、各軸部
材には各々電極線材が通電自在に接触せしめられてなることを特徴とする、請求項１記載
の振子式表示装置を要旨とするものである。
【０００７】
請求項３記載の発明は、請求項１記載の振子式表示装置において、表示体が振子の振り
竿に沿って上下に摺動自在に嵌合され、該振り竿の外側面にはその長手方向に沿って電極線材が配設されると共に、該電極線材に各々通電自在に接触せしめるべく表示体の摺動内面には電極線材が配設されてなることを特徴とする、振子式表示装置を要旨とするものである。
【発明の効果】
【０００８】
請求項１記載の発明は上述のように構成されているから、振子を揺動せしめつつ、軸を
介して駆動コイルと同一電源でもって発光体に通電せしめ、発光体を発光せしめて表示体
を電飾することが出来るものであって、ひいては、表示体を非常に印象的に作動せしめ、
表示機能を一層有効に発揮せしめることが出来るものである。      
【０００９】
請求項２記載の発明は上述のように構成されているから、両側の導電性軸部材に各々所
要の電極線材を接触通電せしめるという極めて簡単な構成でもって、振子を揺動せしめつ
つ表示体の発光体を常に確実に発光せしめることが出来るものである。
【００１０】
請求項３記載の発明は上述のように構成されているから、振子の振り竿に沿って表示体
を適宜上下に摺動せしめ、振子の振幅を自由に調整して表示体の発光体を発光せしめるこ
とが出来るものである。
【発明を実施するための最良の形態】
【００１１】
以下に、本発明を実施するための最良の形態を図面に示す一実施例に基づいて詳細に説
明する。
図１乃至図４は本発明の一実施例を示すもので、同図中、１は両端上部が開放状とされ
た略方形体状のフレ−ム、２は該フレ−ム１内に軸３を介して揺動自在に支承された振子
、４は該振子２を構成する所要の長さを備えた不導性の合成樹脂製振り竿、５は該振り竿
４の下端部に取付けられた略円弧状の金属製振り玉、６は該振り玉５の下端に取付けられ
た永久磁石、７は振り竿４の上端部に取付けられた略方形状の表示体、８は該表示体７に
配設された所要数のＬＥＤ素子、９ａ・９ｂは該各ＬＥＤ素子８に接続された一対の第１
電極線材である。
【００１２】
１０ａ・１０ｂは前記軸３を構成する両側一対の導電金属製軸部材、１１は該各軸部材
１０ａ・１０ｂの長手方向に沿ってその中心に形成されたねじ孔、１２は該ねじ孔１１に
螺合して両側の軸部材１０ａ・１０ｂを通電不能に連結せしめる合成樹脂などの不導性棒
ねじで、図４に図示するように、振り竿４の両側に各々第１電極線材９ａ・９ｂをあてが
いつつその挿通孔１３を通して該棒ねじ１２を挿通せしめると共に、その両端に軸部材１
０ａ・１０ｂを各々螺合して挾持状に締結せしめ、第１電極線材９ａ・９ｂどうしを電気
的に遮断せしめつつ対応する軸部材１０ａ・１０ｂの両面に通電自在に接触せしめるもの
とされている。１４は上記永久磁石６の下方に位置せしめるべくフレ−ム１に内設された
駆動コイル、１５は該駆動コイル１４を制御せしめる駆動回路基盤、１６ａ・１６ｂは該
駆動回路基盤１５に一端が持続されると共に他端が前記軸部材１０ａ・１０ｂに各々通電
自在に接触された一対の第２電極線材で、該各第２電極線材１６ａ・１６ｂは各々軸部材
１０ａ・１０ｂを介して対応する第１電極線材９ａ・９ｂに通電自在に接続せしめられて
いる。その他、１７は電源コ−ドを示す。
【００１３】
次に、上述の如く構成された実施例の作動について説明する。
先ず、駆動コイル１４に電源コ−ド１７を介して通電し、駆動コイル１４上に永久磁石
６の磁極極性と同極性磁界を生起せしめつつ、永久磁石６に対して反発力となる電磁力を
励磁せしめ、該電磁力と振子２の重力による復元力とが相まって振子３を慣性的に揺動せ
しめると共に、これに連動して表示体７を適正に揺動せしめる。また、駆動コイル１４の
通電と同時に同一電源でもって第２電極線材１６ａ・１６ｂ・軸部材１０ａ・１０ｂ・第
１電極線材９ａ・９ｂを介してＬＥＤ素子８に通電せしめつつ発光せしめ、表示体７を電
飾して印象的に揺動作動せしめることができ、表示機能を一層効果的に発揮せしめる。こ
のさい、第１・第２電極線材９ａ・９ｂ・１６ａ・１６ｂを各々対応する両側の導電性軸
部材１０ａ・１０ｂに接触通電せしめるものであるから、振子２を揺動せしめるにも拘ら
ず、軸部材１０ａ・１０ｂを利用して表示体７のＬＥＤ素子８を常に確実に発光せしめることが出来るものである。
【００１４】
図５乃至図７は他の発明の一実施例を示すもので、表示体７が振子２の振り竿４に摺動
自在に嵌合され、該振り竿４の外側面にはその長手方向に沿って第１電極線材９ａ・９ｂが延設されると共に、該第１電極線材９ａ・９ｂに通電自在に接触せしめるべく表示体７の摺動内面には両側一対の電極線材１８ａ・１８ｂが各々配設された点が上記実施例と相違し、他の部分は同一であり、同一符号は同一部分を示す。
【００１５】
上述の如く構成された実施例は、前記実施例と同様に、駆動コイル１４に通電して励磁
せしめ、永久磁石６との電磁力により振子２を慣性的に揺動せしめつつ、これに連動して
表示体７を同期に揺動せしめる。そして、必要に応じて表示体７を振り竿４に沿って上下
に摺動せしめ、振り竿４の重力を変動せしめることにより振子２の振幅を変化せしめ、表
示体７の揺動幅を自由に調整せしめることが出来るものである。
【００１６】
なお、上記実施例において、駆動コイル１４は外部電源により通電せしめるものとされ
ているが、これに限定されるものでなく、フレ−ム１内に乾電池や蓄電池等を内蔵せしめ
て通電せしめるべく構成してもよいものである。また、発光体としてＬＥＤ素子８が示さ
れているが、これに限定されるものでなく、他の公知の発光体を採択使用することが出来
るものである。
【図面の簡単な説明】
【００１７】
【図１】本発明の一実施例を示す一部破断斜視図である。
【図２】同一部破断正面図である。
【図３】同一部破断側面図である。
【図４】同要部拡大断面図である。
【図５】他の発明の一実施例を示す一部拡大正面図である。
【図６】同一部拡大側面図である。
【図７】同一部拡大破断側面図である。
【符号の説明】
【００１８】
１    フレ−ム
２    振子
３    軸
４    振り竿
５    振り玉
６    永久磁石
７  表示体
８  ＬＥＤ素子
９ａ・９ｂ  第１電極線材
１０ａ・１０ｂ  軸部材
１２  棒ねじ
１４  駆動コイル
１６ａ・１６ｂ  第２電極線材
１８ａ・１８ｂ  電極線材
【図１】
2008180755.tif 000003
【図２】
2008180755.tif 000004
【図３】
2008180755.tif 000005
【図４】
2008180755.tif 000006
【図５】
2008180755.tif 000007
【図６】
2008180755.tif 000008
【図７】
2008180755.tif 000009